(57)【要約】【課題】良好な光学性能と高い量産性を備えた３枚構成の撮像レンズ及び撮像装置を提供する。【解決手段】撮影レンズは、物体側から順に、第１レンズ部Ｌ１、光学薄膜からなる開口絞りＳ、第１レンズ基板ＬＳ１により、第１レンズブロックＢＫ１が構成され、次に、第２レンズ部Ｌ２、第２レンズ基板ＬＳ２、第３レンズ部Ｌ３により、第２レンズブロックＢＫ２が構成され、最後に、第３レンズ基板ＬＳ３、第４レンズ部Ｌ４より、第３レンズブロックＢＫ３が構成される。つまり、第１レンズ基板ＬＳ１の平面と第２レンズ部Ｌ２との間に、パワーを持つ空気レンズが形成され、第３レンズ部Ｌ３と第３レンズ基板ＬＳ３の平面との間に、パワーを持つ空気レンズが形成される。【選択図】図７
2012163670.tif 000002
【特許請求の範囲】
【請求項１】
実質的にパワーを有する３枚のレンズからなり、前記３枚のレンズの光学面のうち、２面が平面であり、前記平面同士が光軸に沿って空気を挟んで隣り合わないことを特徴とする撮像レンズ。
【請求項２】
実質的にパワーを有する３枚のレンズからなり、前記３枚のレンズの対向する光学面において、一方が平面、他方が非平面である組み合わせが２つあることを特徴とする撮像レンズ。
【請求項３】
前記３枚のレンズを、物体側から第１レンズ、第２レンズ、第３レンズとしたときに、前記平面は、前記第１レンズの像側面と前記第２レンズの物体側面のどちらか１面に配置され、更に前記第２レンズの像側面と前記第３レンズの物体側面のどちらか１面に配置されることを特徴とする請求項１又は２に記載の撮像レンズ。
【請求項４】
第１レンズの像側面と第２レンズの物体側面とにより形成される空気レンズの屈折力が負であることを特徴とする請求項１〜３のいずれかに記載の撮像レンズ。
【請求項５】
以下の条件式を満足することを特徴とする請求項１〜４のいずれかに記載の撮像レンズ。
−３．０＜Ｐａｉｒ／Ｐ＜−０．５      （１）
但し、
Ｐａｉｒ：前記第１レンズの像側面と前記第２レンズの物体側面とにより形成される空気レンズの屈折力
Ｐ：前記撮像レンズ全系の屈折力
【請求項６】
以下の条件式を満足することを特徴とする請求項１〜５のいずれかに記載の撮像レンズ。
ｆ２＞０かつ
−２．０＜ｆ２／ｆ３＜−０．５      （２）
但し、
ｆ２：前記第２レンズの焦点距離（ｍｍ）
ｆ３：前記第３レンズの焦点距離（ｍｍ）
【請求項７】
前記３枚のレンズの中で、前記平面を有するレンズのうちの少なくとも１枚は、平板状のレンズ基板の片面にレンズ部を形成してなることを特徴とする請求項１〜６のいずれかに記載の撮像レンズ。
【請求項８】
前記レンズ基板に絞りを配置することを特徴とする請求項７に記載の撮像レンズ。
【請求項９】
前記レンズ基板がガラス材料からなり、少なくとも前記レンズ部が樹脂材料からなるレンズブロックを少なくとも１つ有することを特徴とする請求項７又は８に記載の撮像レンズ。
【請求項１０】
複数の前記レンズブロックを並べて含むユニットを、レンズブロックユニットとし、前記レンズブロックの周縁の少なくとも一部にスペーサを並べ、複数の前記レンズブロックユニットを、前記スペーサを介在させてつなげる連結工程と、相互につながった前記レンズブロックユニットを前記スペーサに沿って切断することにより、前記レンズブロック毎に分離する切断工程と、を通じて形成されることを特徴とする請求項９に記載の撮像レンズ。
【請求項１１】
実質的にパワーを有しないレンズを有することを特徴とする請求項１〜１０のいずれかに記載の撮像レンズ。
【請求項１２】
請求項１〜１１のいずれかに記載の撮像レンズと、固体撮像素子とを有することを特徴とする撮像装置。
【発明の詳細な説明】
【技術分野】
【０００１】
本発明は、固体撮像素子を用いた撮像装置の撮像レンズに関するものであり、より詳しくは、大量生産に適する撮像レンズ並びに撮像レンズを用いた撮像装置に関するものである。
【背景技術】
【０００２】
近年、ＣＣＤ（Ｃｈａｒｇｅｄ  Ｃｏｕｐｌｅｄ  Ｄｅｖｉｃｅ）型イメージセンサあるいはＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）型イメージセンサ等の固体撮像素子を用いた撮像素子の高性能化、小型化に伴い、撮像装置を備えた携帯電話や携帯情報端末が普及している。また、これらの撮像装置に搭載される撮像レンズには、量産性、低コスト化が求められている。
【０００３】
ここで、従来の３枚構成のレンズは、簡素な構成のため、小型で量産性が高いにも関わらず、良好な光学性能が得られるため、広く使われている。又、この量産性をさらに向上させるために、レンズの光学面を平面化する手法が提案されている。具体的には、レンズの光学面の片側を平面にすることにより、製造時に起きるレンズシフト、面シフトによる誤差の影響を少なくすることが出来る。そのため、レンズの物体側、像側両面を曲面に成形する場合と比べ、製造工程の簡素化が可能となり、高い量産性を得ることが出来る。
【先行技術文献】
【特許文献】
【０００４】
【特許文献１】特表２００８−５０８５４５号公報
【発明の概要】
【発明が解決しようとする課題】
【０００５】
このように光学面を平面化したレンズとして、特許文献１に示すように、３枚のレンズからなり、これら３枚のレンズの光学面の内、２つの平面が空気を挟んで隣り合うようにしたものが提案されている。しかし、特許文献１に開示されるものは、深い形状の凹レンズを有するため、高い量産性を得ることが出来ていなかった。又、レンズの平面同士を対向させているために、３枚のレンズが持つ空気レンズの１箇所でパワーを得ることができなくなり、空気レンズが実質的に１箇所減少し、収差補正能力が低下し、性能の劣化が生じてしまう。このため、設計時に制約が生じ、３枚構成のレンズに求められる光学性能が得られるとは言い難かった。
【０００６】
本発明は、このような問題点を鑑みてなされたものであり、良好な光学性能と高い量産性を備えた３枚構成の撮像レンズ及び撮像装置を提供することを目的とする。
【課題を解決するための手段】
【０００７】
請求項１に記載の撮像レンズは、実質的にパワーを有する３枚のレンズからなり、前記３枚のレンズの光学面のうち、２面が平面であり、前記平面同士が光軸に沿って空気を挟んで隣り合わないことを特徴とする。
【０００８】
本発明の基本構成は、片側平面の２枚のレンズを含む、実質的にパワーを有する３枚のレンズからなる。その平面の位置を適切に選択することで良好な収差補正を可能にする。本発明においては、３枚のレンズの光学面の内、２つの平面が空気を挟んで隣り合わないようにすることで、３枚のレンズが持つ空気レンズの１箇所でパワーを得ることが出来なくなることを防止するとともに、このように構成することで形成される２カ所の空気レンズを積極的に用いて収差補正等を行うことで、高い光学性能を発揮できるようにしたのである。
【０００９】
請求項２に記載の撮像レンズは、実質的にパワーを有する３枚のレンズからなり、前記３枚のレンズの対向する光学面において、一方が平面、他方が非平面である組み合わせが２つあることを特徴とする。
【００１０】
本発明の基本構成は、片側平面の２枚のレンズを含む、実質的にパワーを有する３枚のレンズからなる。本発明では、３枚のレンズの光学面の内、一方が平面、他方が非平面である組み合わせを２つ設けることで形成される２カ所の空気レンズを積極的に用いて収差補正等を行うことで、高い光学性能を発揮できる。
【００１１】
請求項３に記載の撮像レンズは、請求項１又は２に記載の発明において、前記３枚のレンズを、物体側から第１レンズ、第２レンズ、第３レンズとしたときに、前記平面は、前記第１レンズの像側面と前記第２レンズの物体側面のどちらか１面に配置され、更に前記第２レンズの像側面と前記第３レンズの物体側面のどちらか１面に配置されることを特徴とする。
【００１２】
例えばレンズの片面を平面とすれば、各レンズの誤差感度が小さくなり、レンズ間で起きるシフトによる誤差要因を減少できるため、撮像レンズの量産性を高めることが出来る。また、積層レンズにした場合は、レンズの突き当てる面の片側が平面であるため、積層で起きるチルトを少なくすることが出来るという効果もある。
【００１３】
請求項４に記載の撮像レンズは、請求項１〜３のいずれかに記載の発明において、第１レンズの像側面と第２レンズの物体側面とにより形成される空気レンズの屈折力が負であることを特徴とする。
【００１４】
前記空気レンズの屈折力が負であることで、ペッツバール和を小さくすることができるため、像面を平坦にすることが出来る。
【００１５】
請求項５に記載の撮像レンズは、請求項１〜４のいずれかに記載の発明において、以下の条件式を満足することを特徴とする。
−３．０＜Ｐａｉｒ／Ｐ＜−０．５      （１）
但し、
Ｐａｉｒ：前記第１レンズの像側面と前記第２レンズの物体側面とにより形成される空気レンズの屈折力
Ｐ：前記撮像レンズ全系の屈折力
【００１６】
条件式（１）は、前記第１レンズの像側面と前記第２レンズの物体側面とにより形成される空気レンズの屈折力を適切に設定するための条件を規定する。条件式（１）の値が上限を下回ることで、空気レンズによる負の屈折力を維持できるので、ペッツバール和が大きくなりすぎず、像面を平坦にすることが出来る。また、片側平面レンズの場合、１面で屈折力を得ることになる。一方、条件式（１）の値が下限を上回ることで、空気レンズのレンズ要素面の曲率半径を大きく取ることが出来き、その結果、レンズの加工性がよくなる。また、より望ましく下式の範囲がよい
−２．５＜Ｐａｉｒ／Ｐ＜−１．１      （１’）
【００１７】
請求項６に記載の撮像レンズは、請求項１〜５のいずれかに記載の発明において、以下の条件式を満足することを特徴とする。
ｆ２＞０かつ
−２．０＜ｆ２／ｆ３＜−０．５      （２）
但し、
ｆ２：前記第２レンズの焦点距離（ｍｍ）
ｆ３：前記第３レンズの焦点距離（ｍｍ）
【００１８】
条件式（２）は、前記第２レンズと前記第３レンズの焦点距離を適切に設定するための条件を規定する。条件式（２）の値が上限を上回ると、収差補正には有利になるが、全長の増大を招いてしまい、３枚レンズの利点である小型性を失ってしまう可能性がある。逆に、条件式(２)の値が下限を下回ると、全長の短縮には有利になるが、収差劣化、特に歪曲収差と像面湾曲の劣化が著しくなる可能性がある。そこで、条件式（２）に示す範囲を満たすのがよい。また、より望ましく下式の範囲がよい。
ｆ２＞０かつ
−２．０＜ｆ２／ｆ３＜−０．５      （２’）
【００１９】
請求項７に記載の撮像レンズは、請求項１〜６のいずれかに記載の発明において、前記３枚のレンズの中で、前記平面を有するレンズのうちの少なくとも１枚は、平板状のレンズ基板の片面にレンズ部を形成してなることを特徴とする。
【００２０】
平板状のレンズ基板の表面に、例えばレプリカ法で複数のレンズ部を成形し、レンズ基板の裏面をそのまま残した状態で、レンズ部毎に切り出せば、本発明のレンズを得ることが可能になる。レンズ基板の高い平面性を利用できるため、平面を成形するよりも誤差を減少させることが出来る。また、レンズ基板の厚みはレンズ成形とは異なり、自由に変えることが出来ないため、レズ基板平面部に更に樹脂などで平面を成形し、厚みを変えてもよい。
【００２１】
請求項８に記載の撮像レンズは、請求項１〜７のいずれかに記載の発明において、前記レンズ基板に絞りを配置することを特徴とする。
【００２２】
前記レンズ基板に絞りを配置すれば、撮像レンズの外側に別途絞りを設ける必要がなくなり、撮像装置組立の際に起きるレンズ中心と絞り中心の位置ズレを少なくすることが出来る。
【００２３】
請求項９に記載の撮像レンズは、請求項７又は８に記載の発明において、前記レンズ基板がガラス材料からなり、少なくとも前記レンズ部が樹脂材料からなるレンズブロックを少なくとも１つ有することを特徴とする。
【００２４】
平行平板である前記レンズ基板をガラス材料とすることで、研磨加工を容易とでき、更に形状の複雑な前記特定レンズ部を加工性のよい樹脂材料とすることで、低コストに、高性能化が可能となる。また、一般的に、ガラス材料と樹脂材料の吸水による寸法変化率の差は大きく、前記レンズ基板により容易に前記特定レンズ部の吸水による寸法変化を補正することができる。
【００２５】
請求項１０に記載の撮像レンズは、請求項９に記載の発明において、複数の前記レンズブロックを並べて含むユニットを、レンズブロックユニットとし、前記レンズブロックの周縁の少なくとも一部にスペーサを並べ、複数の前記レンズブロックユニットを、前記スペーサを介在させてつなげる連結工程と、相互につながった前記レンズブロックユニットを前記スペーサに沿って切断することにより、前記レンズブロック毎に分離する切断工程と、を通じて形成されることを特徴とする。これにより、撮像レンズをより低コストで大量生産できるようになる。
【００２６】
請求項１１に記載の撮像レンズは、請求項１〜１０のいずれかに記載の発明において、実質的にパワーを有しないレンズを有することを特徴とする。実質的にパワーを有しないレンズを何枚設けても、請求項１、２に規定する３枚のレンズを有すれば、本発明の効果がある。
【００２７】
請求項１２に記載の撮像装置は、請求項１〜１１のいずれかに記載の撮像レンズと、固体撮像素子とを有することを特徴とする。
【発明の効果】
【００２８】
本発明によれば、良好な光学性能と高い量産性を備えた３枚構成の撮像レンズ及び撮像装置を提供することができる。
【図面の簡単な説明】
【００２９】
【図１】本実施の形態にかかる撮像装置５０の斜視図である。
【図２】図１の構成を矢印II-II線で切断して矢印方向に見た断面図である。
【図３】撮像装置５０を携帯端末としての携帯電話機１００に装備した状態を示す図である。
【図４】携帯電話機１００の制御ブロック図である。
【図５】本実施の形態に用いる撮像レンズを製造する工程を示す図である。
【図６】曲率半径とサグ量との関係を説明する図である。
【図７】第１実施例の断面図である。
【図８】第１実施例にかかる撮像レンズの球面収差（ａ）、非点収差（ｂ）、及び歪曲収差（ｃ）の収差図である。
【図９】第２実施例の断面図である。
【図１０】第２実施例にかかる撮像レンズの球面収差（ａ）、非点収差（ｂ）、及び歪曲収差（ｃ）の収差図である。
【図１１】第３実施例の断面図である。
【図１２】第３実施例にかかる撮像レンズの球面収差（ａ）、非点収差（ｂ）、及び歪曲収差（ｃ）の収差図である。
【図１３】第４実施例の断面図である。
【図１４】第４実施例にかかる撮像レンズの球面収差（ａ）、非点収差（ｂ）、及び歪曲収差（ｃ）の収差図である。
【図１５】第５実施例の断面図である。
【図１６】第５実施例にかかる撮像レンズの球面収差（ａ）、非点収差（ｂ）、及び歪曲収差（ｃ）の収差図である。
【図１７】第６実施例の断面図である。
【図１８】第６実施例にかかる撮像レンズの球面収差（ａ）、非点収差（ｂ）、及び歪曲収差（ｃ）の収差図である。
【図１９】第７実施例の断面図である。
【図２０】第７実施例にかかる撮像レンズの球面収差（ａ）、非点収差（ｂ）、及び歪曲収差（ｃ）の収差図である。
【発明を実施するための形態】
【００３０】
以下、本発明の実施の形態を図面に基づいて説明する。図１は、本実施の形態にかかる撮像装置５０の斜視図であり、図２は、図１の構成を矢印II-II線で切断して矢印方向に見た断面図である。図２に示すように、撮像装置５０は、光電変換部５１ａを有する固体撮像素子としてのＣＭＯＳ型イメージセンサ５１と、このイメージセンサ５１の光電変換部５１ａに被写体像を撮像させる撮像レンズ１０と、イメージセンサ５１を保持すると共にその電気信号の送受を行う外部接続用端子（不図示）を有する基板５２とを備え、これらが一体的に形成されている。尚、撮像レンズ１０は、第１レンズブロックＢＫ１と、第２レンズブロックＢＫ２と、第３レンズブロックＢＫ３とを有する。
【００３１】
上記イメージセンサ５１は、その受光側の平面の中央部に、画素（光電変換素子）が２次元的に配置された、受光部としての光電変換部５１ａが形成されており、その周囲には信号処理回路５１ｂが形成されている。かかる信号処理回路５１ｂは、各画素を順次駆動し信号電荷を得る駆動回路部と、各信号電荷をデジタル信号に変換するＡ／Ｄ変換部と、このデジタル信号を用いて画像信号出力を形成する信号処理部等から構成されている。また、イメージセンサ５１の受光側の平面の外縁近傍には、多数のパッド（図示略）が配置されており、不図示のワイヤを介して基板５２に接続されている。イメージセンサ５１は、光電変換部５１ａからの信号電荷をデジタルＹＵＶ信号等の画像信号等に変換し、ワイヤ（不図示）を介して基板５２上の所定の回路に出力する。ここで、Ｙは輝度信号、Ｕ（＝Ｒ−Ｙ）は赤と輝度信号との色差信号、Ｖ（＝Ｂ−Ｙ）は青と輝度信号との色差信号である。なお、固体撮像素子は上記ＣＭＯＳ型のイメージセンサに限定されるものではなく、ＣＣＤ等の他のものを使用しても良い。
【００３２】
イメージセンサ５１を支持する基板５２は、不図示の配線により、イメージセンサ５１に対して通信可能に接続されている。
【００３３】
基板５２は、不図示の外部接続用端子を介して外部回路（例えば、撮像装置を実装した携帯端末の上位装置が有する制御回路）と接続し、外部回路からイメージセンサ５１を駆動するための電圧やクロック信号の供給を受けたり、また、デジタルＹＵＶ信号を外部回路へ出力したりすることを可能とする。
【００３４】
イメージセンサ５１の上部は、基板５２の上面に固定された赤外線カットフィルタなどのプレートＰＴにより封止されている。プレートＰＴの上面には、スペーサ部材Ｂ３の下端が固定されている。更に、スペーサ部材Ｂ３の上端には、第２レンズブロックＢＫ２が固定され、スペーサ部材Ｂ２の上端には、第２レンズブロックＢＫ２が固定され、第２レンズブロックＢＫ２の上面には、別のスペーサ部材Ｂ１の下端が固定され、スペーサ部材Ｂ１の上端には、第１レンズブロックＢＫ１が固定されている。
【００３５】
第１レンズを構成する第１レンズブロックＢＫ１は、平行平板であるレンズ基板ＬＳ１と、その物体側に固着されたレンズ部Ｌ１とからなり、第２レンズを構成する第２レンズブロックＢＫ２は、平行平板であるレンズ基板ＬＳ２と、その物体側及び像面側に固着されたレンズ部Ｌ２，Ｌ３とからなり、第３レンズを構成する第３レンズブロックＢＫ３は、平行平板であるレンズ基板ＬＳ３と、その像面側に固着されたレンズ部Ｌ４とからなる。尚、第１レンズ部Ｌ１とレンズ基板ＬＳ１との間に、絞りを構成する開口を有する光学薄膜を形成すると好ましい。
【００３６】
ここで、以下の条件式を満足すると好ましい。
−３．０＜Ｐａｉｒ／Ｐ＜−０．５      （１）
但し、
Ｐａｉｒ：第１レンズブロックＢＫ１の像側面と第２レンズブロックＢＫ２の物体側面とにより形成される空気レンズの屈折力
Ｐ：撮像レンズ１０全系の屈折力
【００３７】
又、以下の条件式を満足すると好ましい。
ｆ２＞０かつ
−２．０＜ｆ２／ｆ３＜−０．５      （２）
但し、
ｆ２：第３レンズブロックＢＫ２の焦点距離（ｍｍ）
ｆ３：第３レンズブロックＢＫ３の焦点距離（ｍｍ）
【００３８】
レンズブロックＢＫ１，ＢＫ２、ＢＫ３において、レンズ基板ＬＳ１，ＬＳ２、ＬＳ３がガラス材料からなり、レンズ部Ｌ１〜Ｌ４が樹脂材料からなる。
【００３９】
上述した撮像装置５０の使用態様について説明する。図３は、撮像装置５０をデジタル機器である携帯端末としての携帯電話機１００に装備した状態を示す図である。また、図４は携帯電話機１００の制御ブロック図である。
【００４０】
撮像装置５０は、例えば、撮像レンズの物体側端面が携帯電話機１００の背面（液晶表示部側を正面とする）に設けられ、液晶表示部の下方に相当する位置になるよう配設される。
【００４１】
撮像装置５０の外部接続用端子（不図示）は、携帯電話機１００の制御部１０１と接続され、輝度信号や色差信号等の画像信号を制御部１０１側に出力する。
【００４２】
一方、携帯電話機１００は、図４に示すように、各部を統括的に制御すると共に、各処理に応じたプログラムを実行する制御部（ＣＰＵ）１０１と、番号等をキーにより支持入力するための入力部６０と、撮像した画像や映像等を表示する表示部７０と、外部サーバとの間の各種情報通信を実現するための無線通信部８０と、携帯電話機１００のシステムプログラムや各種処理プログラム及び端末ＩＤ等の必要な諸データを記憶している記憶部（ＲＯＭ）９１と、制御部１０１によって実行される各種処理プログラムやデータ、若しくは処理データ、或いは撮像装置５０による撮像データ等を一時的に格納する作業領域として用いられる一時記憶部（ＲＡＭ）９２とを備えている。
【００４３】
携帯電話機１００を把持する撮影者が、被写体に対して撮像装置５０の撮像レンズ１０を向けると、イメージセンサ５１に静止画又は動画の画像信号が取り込まれる。所望のシャッタチャンスで、図３に示すボタンＢＴを撮影者が押すことでレリーズが行われ、画像信号が撮像装置５０に取り込まれることとなる。撮像装置５０から入力された画像信号は、上記携帯電話機１００の制御系に送信され、記憶部９２に記憶されたり、或いは表示部７０で表示され、さらには、無線通信部８０を介して映像情報として外部に送信されることとなる。
【００４４】
本実施の形態にかかる撮像レンズの製造方法について説明する。図５は、本実施の形態にかかる撮像レンズを製造する工程を示す図である。まず、図５（ａ）の断面図に示すような、複数のレンズブロックＢＫを二次元的に並べて含むレンズブロックユニットＵＴを製造する。かかるレンズブロックユニットＵＴは、例えば、多数のレンズＬを同時に作製できるとともに低コストであるレプリカ法で製造することができる。なお、図５（ａ）に示すレンズブロックユニットＵＴでは、レンズ基板の両面にレンズ部を形成しており、第２レンズとして用いるレンズブロックを形成する例であるが、レンズ基板の片面にレンズ部を形成することで、第１レンズ又は第３レンズとして用いるレンズブロックを形成する
ことができる。
【００４５】
ここで、レプリカ法とは、レンズウェーハ上に、金型を用いて硬化性の樹脂をレンズ形状にして転写するものである。つまり、レプリカ法では、レンズウェーハ上に、多数のレンズが同時に作製されることとなる。
【００４６】
そして、これらのような方法によって製造されたレンズブロックユニットＵＴから、撮像レンズ１０が製造される。この撮像レンズの製造工程の一例を、図５（ｂ）の概略断面図で示す。
【００４７】
第１のレンズブロックユニットＵＴ１は、平行平板である第１レンズ基板ＬＳ１と、その上方の平面のみに接着された複数の第１レンズ部Ｌ１と、で構成される。このとき、第１レンズ基板ＬＳ１とレンズ部Ｌ１との間に、それぞれ開口のある遮光部材（膜でも良い）を配置することで、組み立て後に絞りとして機能させることができる。又、第１レンズ基板ＬＳ１とレンズ部Ｌ１とが光学薄膜や接着剤等を介して間接的に接着されると好ましい。光学薄膜や接着剤等を、赤外線カットフィルタ等の上に設けた場合には、別に設けるよりも光軸方向のレンズ全長を小さくできるからである。更に、（透明薄膜、例えば）反射防止コートを設ければ、レンズ部とレンズ基板での反射を防止でき、フレアやゴーストを低減できる。
【００４８】
第２のレンズブロックユニットＵＴ２は、平行平板である第２レンズ基板ＬＳ２と、その上方の平面に接着された複数の第２レンズＬ２と、下方の平面に接着された複数の第３レンズＬ３と、で構成される。このとき、第２レンズ基板ＬＳ２とレンズ部Ｌ２，Ｌ３とが接着剤等を介して間接的に接着されると好ましい。
【００４９】
格子状のスペーサ部材（スペーサ）Ｂ１を、第１のレンズブロックユニットＵＴ１と第２のレンズブロックユニットＵＴ２との間（具体的には、第１レンズ基板ＬＳ１と第２レンズ基板ＬＳ２との間）に介在させ、両レンズブロックユニットＵＴ１、ＵＴ２の間隔を一定に保つ。
【００５０】
第３のレンズブロックユニットＵＴ３は、平行平板である第３レンズ基板ＬＳ３と、その下方の平面に接着された複数の第４レンズＬ４と、で構成される。
【００５１】
格子状のスペーサ部材（スペーサ）Ｂ２を、第２のレンズブロックユニットＵＴ２と第３のレンズブロックユニットＵＴ３との間（具体的には、第２レンズ基板ＬＳ２と第３レンズ基板ＬＳ３との間）に介在させ、両レンズブロックユニットＵＴ２、ＵＴ３の間隔を一定に保つ。
【００５２】
さらに、別のスペーサ部材Ｂ３を、プレートＰＴと第３のレンズブロックユニットＵＴ３との間に介在させ、プレートＰＴとレンズブロックユニットＵＴ３との間隔を一定に保つ（つまり、スペーサ部材Ｂ１、Ｂ２、Ｂ３は３段格子といえる）。かかる状態で、スペーサ部材Ｂ１、Ｂ２、Ｂ３の格子の穴の部分に、各レンズ部Ｌ１〜Ｌ４が光軸を合わせて位置することとなる。
【００５３】
なお、プレートＰＴは、マイクロレンズアレイを含むウェーハレベルのセンサーチップサイズパッケージ、あるいはセンサーカバーガラスまたは赤外線カットフィルタ等の平行平面板である。
【００５４】
ここで、スペーサ部材Ｂ１が、第１のレンズブロックユニットＵＴ１と第１のレンズブロックユニットＵＴ２との間に介在し、スペーサ部材Ｂ２が、第２のレンズブロックユニットＵＴ２と第３のレンズブロックユニットＵＴ３との間に介在し、スペーサ部材Ｂ３が、第３のレンズユニットＵＴ３とプレートＰＴとの間に介在することで、レンズ基板ＬＳ同士（第１レンズ基板ＬＳ１と第２レンズ基板ＬＳ２と第３レンズ基板ＬＳ３と）が封止され一体化する。
【００５５】
そして、一体化した第１レンズ基板ＬＳ１、第２レンズ基板ＬＳ２、第３レンズ基板ＬＳ３、スペーサ部材Ｂ１、Ｂ２、Ｂ３及びプレートＰＴが、スペーサ部材Ｂ１、Ｂ２、Ｂ３の格子枠（破線Ｑの位置）に沿って切断されると、図５（ｃ）に示すように、レンズブロック毎にそれぞれ一体化した３枚玉構成の撮像レンズ１０が複数得られることとなる。その後、図示していないが、イメージセンサ５１をプレートＰＴと基板５２との間に挟持するようにして、撮像レンズ１０を基板５２に取り付けることで、図２に示す撮像装置を得ることができる。
【００５６】
このように、複数のレンズブロックＢＫ（第１レンズブロックＢＫ１、第２レンズブロックＢＫ２、第３レンズブロックＢＫ３）の組み込まれた部材が切り離されることで、撮像レンズ１０が製造されると、撮像レンズ１０毎のレンズ間隔の調整および組み立てが不要になる。そのため、高画質が期待される撮像装置の大量生産が可能となる。
【００５７】
しかも、スペーサ部材Ｂ１、Ｂ２、Ｂ３が格子形状であるため、このスペーサ部材Ｂ１、Ｂ２、Ｂ３が、複数のレンズブロックＢＫ１〜ＢＫ３の組み込まれた部材から撮像レンズ１０を切り離す場合の印にもなる。したがって、複数のレンズブロックＢＫ１〜ＢＫ３に組み込まれた部材から撮像レンズ１０を容易に切り出すことができ、手間がかからない。その結果、撮像レンズ１０を安価に大量生産できる。
【００５８】
以上を踏まえると、撮像レンズ１０の製造方法は、レンズブロックＢＫ１〜ＢＫ３の周縁の少なくとも一部にスペーサ部材Ｂ１、Ｂ２、Ｂ３を並べ、複数のレンズブロックユニットＵＴ１〜ＵＴ３同士を、スペーサ部材Ｂｌ、Ｂ２、Ｂ３を介在させてつなげる連結工程と、相互につながったレンズブロックユニットＵＴ１〜ＵＴ３を、スペーサ部材Ｂ１、Ｂ２、Ｂ３に沿って切断する切断工程と、を含むものといえる。そして、このような製造方法は、安価なレンズ系の量産に向いている。尚、単一のレンズブロックユニットをプレートにつなげるのみでも良い。
【００５９】
（実施例）
次に、上述した実施の形態に好適な実施例について説明する。但し、以下に示す実施例により本発明が限定されるものではない。実施例における各符号の意味は以下の通りである。
ｆ    ：撮像レンズ全系の焦点距離
ｆＢ  ：バックフォーカス
Ｆ    ：Ｆナンバー
２Ｙ  ：固体撮像素子の撮像面対角線長
ENTP  ：入射瞳位置（第１面から入射瞳位置までの距離）
EXTP  ：射出瞳位置（撮像面から射出瞳位置までの距離）
H1    ：前側主点位置（第１面から前側主点位置までの距離）
H2    ：後側主点位置（最終面から後側主点位置までの距離）
Ｒ    ：曲率半径
Ｄ    ：軸上面間隔
Ｎｄ  ：レンズ材料のｄ線に対する屈折率
νｄ  ：レンズ材料のアッベ数
【００６０】
各実施例において、各面番号の後に「＊」が記載されている面が非球面形状を有する面であり、非球面の形状は、面の頂点を原点とし、光軸方向にＸ軸をとり、光軸と垂直方向の高さをｈとして以下の「数１」で表す。
【００６１】
【数１】
2012163670.tif 000003
ただし、
Ａｉ：ｉ次の非球面係数
Ｒ  ：曲率半径
Ｋ  ：円錐定数
【００６２】
曲率半径は、近軸曲率半径として、超高精度三次元測定機（UA3P）などによる接触式の方法や非接触式の方法を用いて測定されたサグ量ｓから、下記のような式で与えられる近軸曲率半径の近似値ｒ’を用いてもよい。
ｒ’＝｛（ｈ）2＋（ｓ）2｝／（２ｓ）
但し、
ｈ：レンズ面における有効半径の１／１０の高さ
ｓ：面頂点から、レンズ面の高さｈにおける点までの光軸平行方向への変位量（図６参照）
ここで、レンズ面の有効半径とは、最大像高に結像する全光線のうち最も外側（レンズの光軸から最も離れた位置）を通る光線がこのレンズ面とが交わる点から、光軸までの、光軸と垂直方向への高さを意味する。
【００６３】
（実施例１）
第１実施例におけるレンズデータを表１に示す。尚、以降の表中では、１０のべき乗数（例えば、２．５×１０-3）を、ｅ（例えば、２．５×ｅ−０３）を用いて表すものとする。以下の実施例１のコンストラクションデータ表１内に記載したＦ値、半画角、全長、バックフォーカスはすべて、レンズ全長、有限の物体距離、つまり表内の物体距離における実効値である。また、バックフォーカスとは、レンズ最終面から近軸像面までの距離を空気換算長により表記し、レンズ全長とは、レンズ最前面からレンズ最終面までの距離にバックフォーカスを加えたものである。表中、＊又はＳＰＳと付された面が非球面を表す。
【００６４】
［表１］
実施例1              
SURF DATA    
NUM.       r           d          nd     vd       有効半径(mm)
OBJ     INFINITY    400.0000                        
1*      1.0687     0.1564    1.51665  56.27       0.39
STO     INFINITY     0.4150     1.51690  61.89      0.34 
3     INFINITY     0.2472                         0.48
4*     -1.2398     0.0650   1.57970  34.86        0.58
5     INFINITY     0.3100   1.51690  61.89        0.62
6     INFINITY     0.3800   1.51665  56.27        0.71
7*     -0.5284     0.0500                         0.72
8     INFINITY     0.4100   1.51690  61.89        0.99 
9     INFINITY     0.0800   1.51665  56.27        1.19
10*      0.6699     0.4320                         1.28
11     INFINITY     0.3500   1.47140  66.01        1.41 
12     INFINITY     0.0500                         1.51
IMG     INFINITY     0.0000
ASPHERICAL SURFACE
1
K=3.29748e-001,A4=-4.01502e-001,A6=2.96225e+000,A8=-2.58613e+001,A10=1.45048e+002,A12=-6.26720e+002,A14=3.36185e+003,A16=-1.06149e+004,A18=0.00000e+000,A20=0.00000e+000
4
K=-1.72877e+001,A4=6.27254e-001,A6=-6.37386e+000,A8=3.65543e+001,A10=-7.18839e+001,A12=-9.94760e+001,A14=5.03600e+002,A16=-3.90991e+002,A18=0.00000e+000,A20=0.00000e+000
7
K=-1.95605e+000,A4=-1.35135e-001,A6=3.45653e-001,A8=-1.01393e+000,A10=3.12663e+000,A12=-2.10583e+000,A14=-3.59145e-001,A16=2.59924e-001,A18=0.00000e+000,A20=0.00000e+000
10
K=-6.98297e+000,A4=-2.32195e-001,A6=2.51407e-001,A8=-2.16636e-001,A10=9.95490e-002,A12=-2.35612e-002,A14=1.70493e-003,A16=0.00000e+000,A18=0.00000e+000,A20=0.00000e+000
f=      1.97 mm            
fB=     1   mm              
Fno=   2.8
2Y=    2.84  mm
ENTP=  0.11  mm
EXTP= -1.8   mm
H1=   -0.09  mm
H2=   -1.98  mm
単レンズデータ
レンズ   始面   焦点距離(mm)
1        1      2.059
2        4      1.351
3        8     -1.291
【００６５】
図７は実施例１のレンズの断面図である。図８は、実施例１にかかる撮像レンズの球面収差（ａ）、非点収差（ｂ）、歪曲収差（ｃ）及びメリディオナルコマ収差（ｄ）の収差図である。ここで、球面収差図において、ｇはｇ線、ｄはｄ線に対する球面収差量をそれぞれ表す。また、非点収差図及びメリディオナルコマ収差図において、実線はサジタル面、点線はメリディオナル面をそれぞれ表す。
【００６６】
本実施例の撮影レンズは、３つのレンズブロックを有する。より具体的には、物体側から順に、第１レンズ部Ｌ１、光学薄膜からなる開口絞りＳ、第１レンズ基板ＬＳ１により、第１レンズである第１レンズブロックＢＫ１が構成され、次に、第２レンズ部Ｌ２、第２レンズ基板ＬＳ２、第３レンズ部Ｌ３により、第２レンズである第２レンズブロックＢＫ２が構成され、最後に、第３レンズ基板ＬＳ３、第４レンズ部Ｌ４より、第３レンズである第３レンズブロックＢＫ３が構成される。つまり、第１レンズ基板ＬＳ１の平面と第２レンズ部Ｌ２との間に、パワーを持つ空気レンズが形成され、第３レンズ部Ｌ３と第３レンズ基板ＬＳ３の平面との間に、パワーを持つ空気レンズが形成される。Ｆは赤外線カットフィルタやカバーガラス、Ｉは撮像面を示す。
【００６７】
（実施例２）
第２実施例におけるレンズデータを表２に示す。
【００６８】
［表２］
実施例2
SURF DATA
NUM.       r           d          nd     vd       有効半径(mm)
OBJ     INFINITY    400.0000            
1*      0.8735     0.1783   1.51665  56.27     0.40
STO     INFINITY     0.3395   1.51690  61.89     0.34
3     INFINITY     0.0695   1.57970  34.79     0.55 
4*      1.8956     0.3290                      0.45 
5     INFINITY     0.4160   1.51690  61.89     0.68
6     INFINITY     0.2464   1.51665  56.27     0.89 
7*    -0.9458      0.0502                      0.94
8     INFINITY     0.4130   1.51690  61.89     1.08 
9     INFINITY     0.0812   1.51665  56.27     1.25 
10SPS    0.9905     0.2338                      1.29 
11     INFINITY     0.3500   1.47140  66.01     1.37 
12     INFINITY     0.0828                      1.45 
IMG     INFINITY      0.0000
ASPHERICAL SURFACE
1
K=2.64539e+000,A4=-2.39918e-001,A6=-6.88353e+000,A8=5.05901e+001,A10=-2.16427e+002,A12=0.00000e+000,A14=0.00000e+000,A16=0.00000e+000,A18=0.00000e+000,A20=0.00000e+000
4
K=8.39473e-001,A4=-3.73070e-002,A6=4.95576e+000,A8=-2.33804e+001,A10=4.80443e+001,A12=0.00000e+000,A14=0.00000e+000,A16=0.00000e+000,A18=0.00000e+000,A20=0.00000e+000
7
K=-2.85887e+001,A4=-5.32359e-001,A6=2.11270e+000,A8=-3.65722e+000,A10=3.13473e+000,A12=-1.07297e+000,A14=0.00000e+000,A16=0.00000e+000,A18=0.00000e+000,A20=0.00000e+000
10
K=-1.63540e+001,A3=0.00000e+000,A4=-2.16141e-001,A5=0.00000e+000,A6=2.70360e-001,A7=0.00000e+000,A8=-2.53685e-001,A9=0.00000e+000,A10=1.18469e-001,A11=0.00000e+000,A12=-2.21294e-002,A13=0.00000e+000,A14=0.00000e+000,A15=0.00000e+000,A16=0.00000e+000,A17=0.00000e+000,A18=0.00000e+000,A19=0.00000e+000,A20=0.00000e+000
f=      2.03  mm
fB=     0.83  mm
Fno=    2.8
2Y=     2.84   mm
ENTP=   0.13   mm
EXTP=  -1.58   mm
H1=    -0.35   mm
H2=    -1.97   mm
単レンズデータ
レンズ   始面   焦点距離(mm)
1        1      2.810 
2        5      1.830 
3        8     -1.917
【００６９】
図９は実施例２のレンズの断面図である。図１０は、実施例２にかかる撮像レンズの球面収差（ａ）、非点収差（ｂ）、歪曲収差（ｃ）及びメリディオナルコマ収差（ｄ）の収差図である。ここで、球面収差図において、ｇはｇ線、ｄはｄ線に対する球面収差量をそれぞれ表す。また、非点収差図及びメリディオナルコマ収差図において、実線はサジタル面、点線はメリディオナル面をそれぞれ表す。
【００７０】
本実施例の撮影レンズは、３つのレンズブロックを有する。より具体的には、物体側から順に、第１レンズ部Ｌ１、光学薄膜からなる開口絞りＳ、第１レンズ基板ＬＳ１、第２レンズ部Ｌ２により、第１レンズである第１レンズブロックＢＫ１が構成され、次に、第２レンズ基板ＬＳ２、第３レンズ部Ｌ３により、第２レンズである第２レンズブロックＢＫ２が構成され、最後に、第３レンズ基板ＬＳ３、第４レンズ部Ｌ４より、第３レンズである第３レンズブロックＢＫ３が構成される。つまり、第２レンズ部Ｌ２と第１レンズ基板ＬＳ１の平面との間に、パワーを持つ空気レンズが形成され、第３レンズ部Ｌ３と第３レンズ基板ＬＳ３の平面との間に、パワーを持つ空気レンズが形成される。Ｆは赤外線カットフィルタやカバーガラス、Ｉは撮像面を示す。
【００７１】
（実施例３）
第３実施例におけるレンズデータを表３に示す。
【００７２】
［表３］
実施例3          
SURF DATA
NUM.       r           d          nd     vd       有効半径(mm)
OBJ     INFINITY    400.0000
1*     1.1266      0.1686   1.51665  56.27     0.41
STO     INFINITY     0.4200   1.51690  61.89     0.35 
3     INFINITY     0.1623                      0.47
4*     -1.8927     0.0800   1.57970  34.86     0.51 
5     INFINITY     0.4400   1.51690  61.89     0.56 
6     INFINITY     0.0744                      0.73 
7SPS    0.9639     0.2522   1.51665  56.27     0.90 
8    INFINITY     0.3400   1.51690  61.89     0.94 
9     INFINITY     0.0800   1.51665  56.27     1.12 
10SPS    2.1174     0.4167                      1.18 
11     INFINITY     0.3500   1.47140  66.01     1.32 
12     INFINITY      0.13                       1.43 
IMG     INFINITY     0.0000 
ASPHERICAL SURFACE
1
K=3.46613e+000,A4=-2.93235e-001,A6=-1.92770e+000,A8=1.68128e+001,A10=-7.46674e+001,A12=0.00000e+000,A14=0.00000e+000,A16=0.00000e+000,A18=0.00000e+000,A20=0.00000e+000
4
K=5.85537e+000,A4=1.09858e+000,A6=-7.62668e+000,A8=3.39412e+001,A10=-8.69715e+001,A12=9.55541e+001,A14=0.00000e+000,A16=0.00000e+000,A18=0.00000e+000,A20=0.00000e+000
7
K=-9.50797e+000,A3=0.00000e+000,A4=1.53079e-001,A5=0.00000e+000,A6=-4.45771e-001,A7=0.00000e+000,A8=3.48720e-001,A9=0.00000e+000,A10=1.35352e-001,A11=0.00000e+000,A12=-3.68245e-001,A13=0.00000e+000,A14=0.00000e+000,A15=0.00000e+000,A16=0.00000e+000,A17=0.00000e+000,A18=0.00000e+000,A19=0.00000e+000,A20=0.00000e+000
10
K=1.15555e+000,A3=0.00000e+000,A4=-2.28256e-001,A5=0.00000e+000,A6=2.20392e-001,A7=0.00000e+000,A8=-2.57545e-001,A9=0.00000e+000,A10=1.38137e-001,A11=0.00000e+000,A12=-4.00489e-002,A13=0.00000e+000,A14=0.00000e+000,A15=0.00000e+000,A16=0.00000e+000,A17=0.00000e+000,A18=0.00000e+000,A19=0.00000e+000,A20=0.00000e+000
f=      2.07   mm
fB=     1.06   mm
Fno=    2.8  
2Y=     2.84   mm
ENTP=   0.17   mm
EXTP=  -1.93   mm
H1=     0.14   mm
H2=    -1.91   mm
単レンズデータ
レンズ   始面   焦点距離(mm)
1        1      2.171
2        4     -3.243 
3        7      2.844 
【００７３】
図１１は実施例３のレンズの断面図である。図１２は、実施例３にかかる撮像レンズの球面収差（ａ）、非点収差（ｂ）、歪曲収差（ｃ）及びメリディオナルコマ収差（ｄ）の収差図である。ここで、球面収差図において、ｇはｇ線、ｄはｄ線に対する球面収差量をそれぞれ表す。また、非点収差図及びメリディオナルコマ収差図において、実線はサジタル面、点線はメリディオナル面をそれぞれ表す。
【００７４】
本実施例の撮影レンズは、３つのレンズブロックを有する。より具体的には、物体側から順に、第１レンズ部Ｌ１、光学薄膜からなる開口絞りＳ、第１レンズ基板ＬＳ１により、第１レンズである第１レンズブロックＢＫ１が構成され、次に、第２レンズ部Ｌ２、第２レンズ基板ＬＳ２により、第２レンズである第２レンズブロックＢＫ２が構成され、最後に、第３レンズ部Ｌ３，第３レンズ基板ＬＳ３、第４レンズ部Ｌ４より、第３レンズである第３レンズブロックＢＫ３が構成される。つまり、第１レンズ基板ＬＳ１の平面と第２レンズ部Ｌ２との間に、パワーを持つ空気レンズが形成され、第３レンズ基板ＬＳ３の平面と第３レンズ部Ｌ３との間に、パワーを持つ空気レンズが形成される。Ｆは赤外線カットフィルタやカバーガラス、Ｉは撮像面を示す。
【００７５】
（実施例４）
第４実施例におけるレンズデータを表４に示す。
【００７６】
［表４］
実施例4          
NUM.       r           d          nd     vd       有効半径(mm)
OBJ     INFINITY    400.0000
1SPS    1.1266      0.1808   1.51665  56.27     0.44 
STO     INFINITY     0.3900   1.51690  61.89     0.38 
3     INFINITY     0.3346                      0.47 
4SPS   -1.4210     0.0800   1.57970  34.86     0.56 
5     INFINITY     0.3100   1.51690  61.89     0.63 
6     INFINITY     0.3850   1.51665  56.27     0.77
7SPS   -0.5702     0.0500                      0.81 
8     INFINITY     0.3900   1.51690  61.89     1.07 
9     INFINITY     0.0800   1.51665  56.27     1.24 
10SPS    0.6639     0.2650                      1.33 
11     INFINITY     0.3500   1.47140  66.01     1.37 
12     INFINITY     0.2346                      1.44 
IMG     INFINITY     0.0000    
ASPHERICAL SURFACE
1
K=-1.36878e-001,A3=9.97415e-002,A4=-5.12008e-001,A5=0.00000e+000,A6=5.29885e+000,A7=0.00000e+000,A8=-4.13897e+001,A9=0.00000e+000,A10=1.70972e+002,A11=0.00000e+000,A12=-2.79206e+002,A13=0.00000e+000,A14=0.00000e+000,A15=0.00000e+000,A16=0.00000e+000,A17=0.00000e+000,A18=0.00000e+000,A19=0.00000e+000,A20=0.00000e+000
4
K=-4.99433e+001,A3=-6.35873e-001,A4=5.11351e-001,A5=0.00000e+000,A6=-3.77591e+000,A7=0.00000e+000,A8=4.09529e+001,A9=0.00000e+000,A10=-2.11806e+002,A11=0.00000e+000,A12=5.32208e+002,A13=0.00000e+000,A14=-5.23105e+002,A15=0.00000e+000,A16=0.00000e+000,A17=0.00000e+000,A18=0.00000e+000,A19=0.00000e+000,A20=0.00000e+000
7
K=-4.33424e+000,A3=-2.94614e-001,A4=-1.37507e-001,A5=0.00000e+000,A6=1.74739e+000,A7=0.00000e+000,A8=-3.45864e+000,A9=0.00000e+000,A10=4.39068e+000,A11=0.00000e+000,A12=-2.15012e+000,A13=0.00000e+000,A14=0.00000e+000,A15=0.00000e+000,A16=0.00000e+000,A17=0.00000e+000,A18=0.00000e+000,A19=0.00000e+000,A20=0.00000e+000
10
K=-4.48730e+000,A3=-1.62146e-001,A4=-4.32331e-002,A5=0.00000e+000,A6=1.12851e-001,A7=0.00000e+000,A8=-1.07470e-001,A9=0.00000e+000,A10=4.53941e-002,A11=0.00000e+000,A12=-8.61951e-003,A13=0.00000e+000,A14=0.00000e+000,A15=0.00000e+000,A16=0.00000e+000,A17=0.00000e+000,A18=0.00000e+000,A19=0.00000e+000,A20=0.00000e+000
f=      2.18   mm
fB=     1.02   mm
Fno=    2.8
2Y=     2.84   mm
ENTP=   0.13   mm
EXTP=  -1.63   mm
H1=    -0.28   mm
H2=    -1.98   mm
単レンズデータ
レンズ   始面   焦点距離(mm)
1        1      2.171
2        4      1.451 
2        8     -1.279 
【００７７】
図１３は実施例４のレンズの断面図である。図１４は、実施例４にかかる撮像レンズの球面収差（ａ）、非点収差（ｂ）、歪曲収差（ｃ）及びメリディオナルコマ収差（ｄ）の収差図である。ここで、球面収差図において、ｇはｇ線、ｄはｄ線に対する球面収差量をそれぞれ表す。また、非点収差図及びメリディオナルコマ収差図において、実線はサジタル面、点線はメリディオナル面をそれぞれ表す。
【００７８】
本実施例の撮影レンズは、３つのレンズブロックを有する。より具体的には、物体側から順に、第１レンズ部Ｌ１、光学薄膜からなる開口絞りＳ、第１レンズ基板ＬＳ１により、第１レンズである第１レンズブロックＢＫ１が構成され、次に、第２レンズ部Ｌ２、第２レンズ基板ＬＳ２、第３レンズ部Ｌ３により、第２レンズである第２レンズブロックＢＫ２が構成され、最後に、第３レンズ基板ＬＳ３、第４レンズ部Ｌ４より、第３レンズである第３レンズブロックＢＫ３が構成される。つまり、第１レンズ基板ＬＳ１の平面と第２レンズ部Ｌ２との間に、パワーを持つ空気レンズが形成され、第３レンズ部Ｌ３と第３レンズ基板ＬＳ３の平面との間に、パワーを持つ空気レンズが形成される。Ｆは赤外線カットフィルタやカバーガラス、Ｉは撮像面を示す。
【００７９】
（実施例５）
第５実施例におけるレンズデータを表５に示す。
【００８０】
［表５］
実施例5              
NUM.       r           d          nd     vd                    有効半径(mm)
OBJ     INFINITY    400.0000
1SPS    1.0041     0.2004   1.51665  56.27                   0.48
STO     INFINITY     0.3800   1.51690  61.89                   0.43
3     INFINITY     0.3466                                    0.49 
4SPS   -1.0121     0.0800   1.57970  34.86                   0.53
5     INFINITY     0.3100   1.51690  61.89                   0.61
6     INFINITY     0.2780   1.51665  56.27                   0.73
7SPS   -0.6156     0.0620                                    0.76
8     INFINITY     0.3900   1.51690  61.89                   1.00
9     INFINITY     0.0800   1.51665  56.27                   1.20
10SPS    0.7603     0.2544                                    1.24
11     INFINITY     0.3500   1.47140  66.01                   1.32
12     INFINITY     0.3186                                    1.39 
IMG     INFINITY     0.0000
ASPHERICAL SURFACE
1
K=-8.79887e-001,A3=8.02543e-002,A4=-4.45989e-001,A5=0.00000e+000,A6=7.73801e+000,A7=0.00000e+000,A8=-6.65272e+001,A9=0.00000e+000,A10=2.76260e+002,A11=0.00000e+000,A12=-4.31835e+002,A13=0.00000e+000,A14=0.00000e+000,A15=0.00000e+000,A16=0.00000e+000,A17=0.00000e+000,A18=0.00000e+000,A19=0.00000e+000,A20=0.00000e+000              
4
K=-2.34658e+001,A3=-5.62168e-001,A4=2.02996e-002,A5=0.00000e+000,A6=-1.33852e+000,A7=0.00000e+000,A8=3.75234e+001,A9=0.00000e+000,A10=-2.37021e+002,A11=0.00000e+000,A12=6.47812e+002,A13=0.00000e+000,A14=-6.81496e+002,A15=0.00000e+000,A16=0.00000e+000,A17=0.00000e+000,A18=0.00000e+000,A19=0.00000e+000,A20=0.00000e+000
7
K=-4.42992e+000,A3=-2.16417e-001,A4=-1.43571e-002,A5=0.00000e+000,A6=1.95619e+000,A7=0.00000e+000,A8=-3.40948e+000,A9=0.00000e+000,A10=4.11029e+000,A11=0.00000e+000,A12=-2.24299e+000,A13=0.00000e+000,A14=0.00000e+000,A15=0.00000e+000,A16=0.00000e+000,A17=0.00000e+000,A18=0.00000e+000,A19=0.00000e+000,A20=0.00000e+000
10
K=-3.76753e+000,A3=-3.72922e-001,A4=8.05034e-002,A5=0.00000e+000,A6=1.06193e-001,A7=0.00000e+000,A8=-1.20117e-001,A9=0.00000e+000,A10=4.61523e-002,A11=0.00000e+000,A12=-9.40065e-003,A13=0.00000e+000,A14=0.00000e+000,A15=0.00000e+000,A16=0.00000e+000,A17=0.00000e+000,A18=0.00000e+000,A19=0.00000e+000,A20=0.00000e+000
f=      2.47   mm
fB=     1.08   mm
Fno=    2.8
2Y=     2.84   mm
ENTP=   0.14   mm
EXTP=  -1.55   mm
H1=    -0.68   mm
H2=    -2.11   mm
単レンズデータ
レンズ  始面    焦点距離(mm)
1       1       1.935
2       4       2.089
3       8      -1.465
【００８１】
図１５は実施例５のレンズの断面図である。図１６は、実施例５にかかる撮像レンズの球面収差（ａ）、非点収差（ｂ）、歪曲収差（ｃ）及びメリディオナルコマ収差（ｄ）の収差図である。ここで、球面収差図において、ｇはｇ線、ｄはｄ線に対する球面収差量をそれぞれ表す。また、非点収差図及びメリディオナルコマ収差図において、実線はサジタル面、点線はメリディオナル面をそれぞれ表す。
【００８２】
本実施例の撮影レンズは、３つのレンズブロックを有する。より具体的には、物体側から順に、第１レンズ部Ｌ１、光学薄膜からなる開口絞りＳ、第１レンズ基板ＬＳ１により、第１レンズである第１レンズブロックＢＫ１が構成され、次に、第２レンズ部Ｌ２、第２レンズ基板ＬＳ２、第３レンズ部Ｌ３により、第２レンズである第２レンズブロックＢＫ２が構成され、最後に、第３レンズ基板ＬＳ３、第４レンズ部Ｌ４より、第３レンズである第３レンズブロックＢＫ３が構成される。つまり、第１レンズ基板ＬＳ１の平面と第２レンズ部Ｌ２との間に、パワーを持つ空気レンズが形成され、第３レンズ部Ｌ３と第３レンズ基板ＬＳ３の平面との間に、パワーを持つ空気レンズが形成される。Ｆは赤外線カットフィルタやカバーガラス、Ｉは撮像面を示す。
【００８３】
（実施例６）
第６実施例におけるレンズデータを表６に示す。
【００８４】
［表６］
実施例6          
NUM.       r           d          nd     vd                    有効半径(mm)
OBJ     INFINITY    400.0000
1SPS    1.0794     0.1598   1.51665  56.27                   0.40
STO     INFINITY     0.3805   1.51690  61.89                   0.35 
3     INFINITY     0.2669                                    0.45 
4SPS   -1.2980     0.0796   1.57970  34.86                   0.50 
5     INFINITY     0.3100   1.51690  61.89                   0.59 
6     INFINITY     0.3858   1.51665  56.27                   0.72 
7SPS   -0.5301     0.0500                                    0.76
8     INFINITY     0.4699   1.51665  56.27                   0.98 
9SPS    0.6375     0.2544                                    1.21 
10     INFINITY     0.3500   1.47140  66.01                   1.25
11     INFINITY     0.2313                                    1.33
IMG     INFINITY     0.0000
ASPHERICAL SURFACE
1
K=-3.15456e+000,A3=1.97757e-001,A4=-7.26323e-001,A5=0.00000e+000,A6=1.15059e+001,A7=0.00000e+000,A8=-1.03193e+002,A9=0.00000e+000,A10=4.95062e+002,A11=0.00000e+000,A12=-9.48762e+002,A13=0.00000e+000,A14=0.00000e+000,A15=0.00000e+000,A16=0.00000e+000,A17=0.00000e+000,A18=0.00000e+000,A19=0.00000e+000,A20=0.00000e+000
4
K=-4.99065e+001,A3=-6.41180e-001,A4=2.67602e-001,A5=0.00000e+000,A6=-2.54454e+000,A7=0.00000e+000,A8=3.76858e+001,A9=0.00000e+000,A10=-2.21172e+002,A11=0.00000e+000,A12=6.18539e+002,A13=0.00000e+000,A14=-6.80232e+002,A15=0.00000e+000,A16=0.00000e+000,A17=0.00000e+000,A18=0.00000e+000,A19=0.00000e+000,A20=0.00000e+000
7
K=-3.13583e+000,A3=-2.58633e-002,A4=-3.73079e-001,A5=0.00000e+000,A6=1.50930e+000,A7=0.00000e+000,A8=-3.08503e+000,A9=0.00000e+000,A10=4.94418e+000,A11=0.00000e+000,A12=-2.85331e+000,A13=0.00000e+000,A14=0.00000e+000,A15=0.00000e+000,A16=0.00000e+000,A17=0.00000e+000,A18=0.00000e+000,A19=0.00000e+000,A20=0.00000e+000
9
K=-5.61711e+000,A3=-1.51320e-001,A4=-2.82610e-002,A5=0.00000e+000,A6=1.02215e-001,A7=0.00000e+000,A8=-1.13796e-001,A9=0.00000e+000,A10=5.21195e-002,A11=0.00000e+000,A12=-1.03064e-002,A13=0.00000e+000,A14=0.00000e+000,A15=0.00000e+000,A16=0.00000e+000,A17=0.00000e+000,A18=0.00000e+000,A19=0.00000e+000,A20=0.00000e+000
f=      2.03   mm
fB=     1      mm
Fno=    2.8 
2Y=     2.84   mm
ENTP=   0.11   mm
EXTP=  -1.59   mm
H1=    -0.16   mm
H2=    -1.83   mm
単レンズデータ
レンズ  始面    焦点距離(mm)
1       1       2.089
2       4       1.334 
3       8      -1.234
【００８５】
図１７は実施例６のレンズの断面図である。図１８は、実施例６にかかる撮像レンズの球面収差（ａ）、非点収差（ｂ）、歪曲収差（ｃ）及びメリディオナルコマ収差（ｄ）の収差図である。ここで、球面収差図において、ｇはｇ線、ｄはｄ線に対する球面収差量をそれぞれ表す。また、非点収差図及びメリディオナルコマ収差図において、実線はサジタル面、点線はメリディオナル面をそれぞれ表す。
【００８６】
本実施例の撮影レンズは、２つのレンズブロックと１つのレンズ単体とを有する。より具体的には、物体側から順に、第１レンズ部Ｌ１、光学薄膜からなる開口絞りＳ、第１レンズ基板ＬＳ１により、第１レンズである第１レンズブロックＢＫ１が構成され、次に、第２レンズ部Ｌ２、第２レンズ基板ＬＳ２、第３レンズ部Ｌ３により、第２レンズである第２レンズブロックＢＫ２が構成され、最後に、樹脂から一体成形された第４レンズ部Ｌ４が配置されている。第３レンズである第４レンズ部Ｌ４の物体側は平面である。つまり、第１レンズ基板ＬＳ１の平面と第２レンズ部Ｌ２との間に、パワーを持つ空気レンズが形成され、第３レンズ部Ｌ３と第４レンズ部の平面との間に、パワーを持つ空気レンズが形成される。Ｆは赤外線カットフィルタやカバーガラス、Ｉは撮像面を示す。
【００８７】
（実施例７）
第７実施例におけるレンズデータを表７に示す。
【００８８】
［表７］
実施例7          
NUM.       r           d          nd     vd                    有効半径(mm)
OBJ     INFINITY    400.0000
1SPS    1.2724     0.1525   1.51665  56.27                   0.38 
STO     INFINITY     0.3900   1.51690  61.89                   0.33 
3     INFINITY     0.2708                                    0.45 
4SPS   -1.4820     0.0800   1.45166  32.27                   0.52
5     INFINITY     0.3100   1.51690  61.89                   0.62 
6     INFINITY     0.3850   1.59541  64.99                   0.76
7SPS   -0.7107     0.0500                                    0.79
8     INFINITY     0.3947   1.51690  61.89                   0.97
9     INFINITY     0.0800   1.45166  32.27                   1.10 
10SPS    0.8655     0.2544                                    1.19
11     INFINITY     0.3500   1.47140  66.01                   1.22 
12     INFINITY     0.2725                                    1.31
IMG     INFINITY     0.0000
ASPHERICAL SURFACE
1
K=-4.82865e+000,A3=2.11532e-001,A4=-8.17235e-001,A5=0.00000e+000,A6=1.16035e+001,A7=0.00000e+000,A8=-1.02363e+002,A9=0.00000e+000,A10=4.83692e+002,A11=0.00000e+000,A12=-9.09401e+002,A13=0.00000e+000,A14=0.00000e+000,A15=0.00000e+000,A16=0.00000e+000,A17=0.00000e+000,A18=0.00000e+000,A19=0.00000e+000,A20=0.00000e+000,
4
K=-4.69312e+001,A3=-6.74938e-001,A4=3.66546e-001,A5=0.00000e+000,A6=-2.54643e+000,A7=0.00000e+000,A8=3.80432e+001,A9=0.00000e+000,A10=-2.20000e+002,A11=0.00000e+000,A12=6.12480e+002,A13=0.00000e+000,A14=-6.73459e+002,A15=0.00000e+000,A16=0.00000e+000,A17=0.00000e+000,A18=0.00000e+000,A19=0.00000e+000,A20=0.00000e+000
7
K=-3.23761e+000,A3=-3.15617e-002,A4=-3.69548e-001,A5=0.00000e+000,A6=1.44421e+000,A7=0.00000e+000,A8=-3.24161e+000,A9=0.00000e+000,A10=4.77692e+000,A11=0.00000e+000,A12=-2.61228e+000,A13=0.00000e+000,A14=0.00000e+000,A15=0.00000e+000,A16=0.00000e+000,A17=0.00000e+000,A18=0.00000e+000,A19=0.00000e+000,A20=0.00000e+000
10
K=-3.85455e+000,A3=-2.07923e-001,A4=2.80544e-003,A5=0.00000e+000,A6=1.10074e-001,A7=0.00000e+000,A8=-1.15637e-001,A9=0.00000e+000,A10=5.15692e-002,A11=0.00000e+000,A12=-9.75070e-003,A13=0.00000e+000,A14=0.00000e+000,A15=0.00000e+000,A16=0.00000e+000,A17=0.00000e+000,A18=0.00000e+000,A19=0.00000e+000,A20=0.00000e+000
f=      1.9    mm
fB=     1.04   mm
Fno=    2.8
2Y=     2.84   mm
ENTP=   0.1    mm
EXTP=  -1.88   mm
H1=     0.31   mm
H2=    -1.66   mm
単レンズデータ
レンズ  始面    焦点距離(mm)
1       1       2.463
2       4       1.513
3       8      -1.916
【００８９】
図１９は実施例７のレンズの断面図である。図２０は、実施例７にかかる撮像レンズの球面収差（ａ）、非点収差（ｂ）、歪曲収差（ｃ）及びメリディオナルコマ収差（ｄ）の収差図である。ここで、球面収差図において、ｇはｇ線、ｄはｄ線に対する球面収差量をそれぞれ表す。また、非点収差図及びメリディオナルコマ収差図において、実線はサジタル面、点線はメリディオナル面をそれぞれ表す。
【００９０】
本実施例の撮影レンズは、３つのレンズブロックを有する。より具体的には、物体側から順に、第１レンズ部Ｌ１、光学薄膜からなる開口絞りＳ、第１レンズ基板ＬＳ１により、第１レンズである第１レンズブロックＢＫ１が構成され、次に、第２レンズ部Ｌ２、第２レンズ基板ＬＳ２、第３レンズ部Ｌ３により、第２レンズである第２レンズブロックＢＫ２が構成され、最後に、第３レンズ基板ＬＳ３、第４レンズ部Ｌ４より、第３レンズである第３レンズブロックＢＫ３が構成される。つまり、第１レンズ基板ＬＳ１の平面と第２レンズ部Ｌ２との間に、パワーを持つ空気レンズが形成され、第３レンズ部Ｌ３と第３レンズ基板ＬＳ３の平面との間に、パワーを持つ空気レンズが形成される。Ｆは赤外線カットフィルタやカバーガラス、Ｉは撮像面を示す。
【００９１】
表８に、請求項に記載した条件式の値をまとめて示す。
【００９２】
【表８】
2012163670.tif 000004
【００９３】
（その他の実施形態）
上記各実施例において、実質的にパワーを有しないレンズ（ダミーレンズ）を１枚又は複数枚さらに設けてもよい。実質的にパワーを有する３枚のレンズからなり、前記３枚のレンズの光学面のうち、２面が平面であり、前記平面同士が光軸に沿って空気を挟んで隣り合わない構成とするか、実質的にパワーを有する３枚のレンズからなり、前記３枚のレンズの対向する光学面において、一方が平面、他方が非平面である組み合わせが２つある構成とすれば、ダミーレンズをさらに設けていても上述したような効果を達成することができる。
【符号の説明】
【００９４】
１０  撮像レンズ
５０  撮像装置
５１  イメージセンサ
５１ａ  光電変換部
５１ｂ  信号処理回路
５２  基板
６０  入力部
７０  表示部
８０  無線通信部
９２  記憶部
１００  携帯電話機
１０１  制御部
ＬＳ１〜ＬＳ３  レンズ基板
Ｌ１〜Ｌ４  レンズ部
【図１】
2012163670.tif 000005
【図２】
2012163670.tif 000006
【図３】
2012163670.tif 000007
【図４】
2012163670.tif 000008
【図５】
2012163670.tif 000009
【図６】
2012163670.tif 000010
【図７】
2012163670.tif 000011
【図８】
2012163670.tif 000012
【図９】
2012163670.tif 000013
【図１０】
2012163670.tif 000014
【図１１】
2012163670.tif 000015
【図１２】
2012163670.tif 000016
【図１３】
2012163670.tif 000017
【図１４】
2012163670.tif 000018
【図１５】
2012163670.tif 000019
【図１６】
2012163670.tif 000020
【図１７】
2012163670.tif 000021
【図１８】
2012163670.tif 000022
【図１９】
2012163670.tif 000023
【図２０】
2012163670.tif 000024